(57)【要約】【課題】蓋と容器とを適切に接合することができる容器の蓋、容器の蓋材、および、包装体の製造方法を提供する。【解決手段】個別の容器に接合される複数の蓋が一体化された蓋材３０であって、蓋は印刷される印刷面３１Ａ、および、印刷面３１Ａと反対側の背面３１Ｂを有する印刷層３１と、背面３１Ｂに接合される第１接合面３３Ａ、および、容器に接合するために第１接合面３３Ａと反対側に設けられた第２接合面３３Ｂを有するイージーピールシーラント層３３と、剥離できるように第２接合面３３Ｂに接合される保護面３４Ｘを有する保護層３４とを備える。【選択図】図３
2019059500.tif 000002
【特許請求の範囲】
【請求項１】
個別の容器に接合される複数の蓋が一体化された蓋材であって、
前記蓋は、印刷される印刷面、および、前記印刷面と反対側の背面を有する印刷層と、
前記背面に接合される第１接合面、および、容器に接合するために前記第１接合面と反対側に設けられた第２接合面を有するイージーピールシーラント層と、剥離できるように前記第２接合面に接合される保護面を有する保護層とを備える
容器の蓋材。
【請求項２】
前記複数の蓋を個別の蓋に分離できるように前記印刷層および前記イージーピールシーラント層の少なくとも一方に設けられたガイドを含む
請求項１に記載の容器の蓋材。
【請求項３】
Ａ３判サイズ、Ａ４判サイズ、Ａ５判サイズ、Ｂ４判サイズ、または、Ｂ５判サイズのシートである
請求項１または２に記載の容器の蓋材。
【請求項４】
前記保護層の厚さは前記イージーピールシーラント層の厚さよりも厚い
請求項１〜３のいずれか一項に記載の容器の蓋材。
【請求項５】
前記蓋は薬を収容する前記容器に接合される
請求項１〜４のいずれか一項に記載の容器の蓋材。
【請求項６】
前記印刷層の前記背面と前記イージーピールシーラント層の前記第１接合面との間に設けられる中間層をさらに備え、
前記中間層はアルミニウムにより構成されている
請求項１〜５のいずれか一項に記載の容器の蓋材。
【請求項７】
請求項１〜６のいずれか一項に記載の容器の蓋材の前記蓋の前記イージーピールシーラント層から前記保護層を剥離する剥離工程と、
前記容器の開口が閉じられるように前記イージーピールシーラント層を前記容器に接合する接合工程とを備える
包装体の製造方法。
【請求項８】
印刷される印刷面、および、前記印刷面と反対側の背面を有する印刷層と、
前記背面に接合される第１接合面、および、容器に接合するために前記第１接合面と反対側に設けられた第２接合面を有するイージーピールシーラント層と、
剥離できるように前記第２接合面に接合される保護面を有する保護層とを備える
容器の蓋。
【発明の詳細な説明】
【技術分野】
【０００１】
本発明は容器の蓋、容器の蓋材、および、包装体の製造方法に関する。
【背景技術】
【０００２】
特許文献１は従来の容器の蓋の一例を開示している。同文献１の図１等に示されるように、この蓋は第１の紙層(１０ａ)、および、第１の紙層(１０ａ)に接合されるイージーピール性のシーラント層(３０)を備えている。蓋のシーラント層(３０)が容器(４００)のフランジ部(４００ａ)に接合されることにより、容器(４００)の開口部が閉じられる。
【先行技術文献】
【特許文献】
【０００３】
【特許文献１】特開２０１７−９５１２１号公報
【発明の概要】
【発明が解決しようとする課題】
【０００４】
上記蓋によればシーラント層(３０)に異物が付着した場合にシーラント層(３０)がフランジ部(４００ａ)に適切に接合されないおそれがある。
【課題を解決するための手段】
【０００５】
(１)本発明に関する容器の蓋材は個別の容器に接合される複数の蓋が一体化された蓋材であって、前記蓋は、印刷される印刷面、および、前記印刷面と反対側の背面を有する印刷層と、前記背面に接合される第１接合面、および、容器に接合するために前記第１接合面と反対側に設けられた第２接合面を有するイージーピールシーラント層と、剥離できるように前記第２接合面に接合される保護面を有する保護層とを備える。
イージーピールシーラント層の第２接合面が保護層により覆われているため、第２接合面が汚れにくい。このため、蓋と容器とを適切に接合できる。
【０００６】
(２)好ましい例では(１)に記載の容器の蓋材において、前記複数の蓋を個別の蓋に分離できるように前記印刷層および前記イージーピールシーラント層の少なくとも一方に設けられたガイドを含む。
このため、蓋を容易に分離できる。
【０００７】
(３)好ましい例では(１)または(２)に記載の容器の蓋材において、Ａ３判サイズ、Ａ４判サイズ、Ａ５判サイズ、Ｂ４判サイズ、または、Ｂ５判サイズのシートである。
このため、家庭用のプリンターを用いて印刷層に印刷できる。
【０００８】
(４)好ましい例では(１)〜(３)のいずれか一項に記載の容器の蓋材において、前記保護層の厚さは前記イージーピールシーラント層の厚さよりも厚い。
このため、保護層をイージーピールシーラント層から容易に剥離できる。
【０００９】
(５)好ましい例では(１)〜(４)のいずれか一項に記載の容器の蓋材において、前記蓋は薬を収容する前記容器に接合される。
このため、容器に収容された薬の情報を容易に認識できる。
【００１０】
(６)好ましい例では(１)〜(５)のいずれか一項に記載の容器の蓋材において、前記印刷層の前記背面と前記イージーピールシーラント層の前記第１接合面との間に設けられる中間層をさらに備え、前記中間層はアルミニウムにより構成されている。
このため、蓋を容易に分離できる。
【００１１】
(７)本発明に関する包装体の製造方法は(１)〜(６)のいずれか一項に記載の容器の蓋材の前記蓋の前記イージーピールシーラント層から前記保護層を剥離する剥離工程と、前記容器の開口が閉じられるように前記イージーピールシーラント層を前記容器に接合する接合工程とを備える。
上記包装体の製造方法によれば、上記(１)の蓋材により得られる効果と同様の効果が得られる。
【００１２】
(８)本発明に関する容器の蓋は印刷される印刷面、および、前記印刷面と反対側の背面を有する印刷層と、前記背面に接合される第１接合面、および、容器に接合するために前記第１接合面と反対側に設けられた第２接合面を有するイージーピールシーラント層と、剥離できるように前記第２接合面に接合される保護面を有する保護層とを備える。
上記容器の蓋によれば、上記(１)の蓋材により得られる効果と同様の効果が得られる。
【発明の効果】
【００１３】
本発明に関する容器の蓋、容器の蓋材、および、包装体の製造方法によれば、蓋と容器とを適切に接合できる。
【図面の簡単な説明】
【００１４】
【図１】実施形態の包装体の分解斜視図。
【図２】図１の複数の蓋が形成されたシートの平面図。
【図３】図２のＤ３−Ｄ３線に沿う断面図。
【図４】準備工程を示す斜視図。
【図５】接合工程を示す斜視図。
【図６】変形例の蓋の層構造を示す断面図。
【発明を実施するための形態】
【００１５】
図１は内容物Ｃを収容する包装体１の一例を示している。包装体１を構成する主要な要素は容器１０および蓋２０である。内容物Ｃは任意に選択できる。一例では、内容物Ｃは処方薬、サプリメント、食品、飲料、調味料、および、部品である。図示される例では内容物Ｃは処方薬である。容器１０には服用条件に従って分類された内容物Ｃが収容される。服用条件の一例は１日における服用時期、および、服用日数である。一例では、１回の服用分の内容物Ｃが１つの容器１０の収容部１１に収容される。
【００１６】
容器１０を構成する材料は任意に選択できる。一例では、容器１０はユーザーが容易に持ち運びできるような軽い材料により構成される。その一例はポリスチレンである。容器１０は樹脂製のカップであり、収容部１１およびフランジ１２に区分される。収容部１１には内容物Ｃを収容する空間１１Ｂが形成されている。収容部１１は空間１１Ｂに対して内容物Ｃを出し入れするための開口部１１Ａを有する。フランジ１２は収容部１１の開口部１１Ａの周囲に設けられている。蓋２０は容器１０の開口部１１Ａを閉じるようにフランジ１２に接合されている。蓋２０の構成は任意に選択できる。図２に示される第１例では、１枚の蓋材３０内に複数の蓋２０が設けられる。複数の蓋２０は一体化している。蓋材３０を用いて包装体１が構成される場合、蓋材３０における複数の蓋２０のそれぞれに対応して複数の容器１０が蓋材３０に接合される。第２例では、複数の蓋２０は個別に形成され、それぞれ対応する容器１０に取り付けられる。
【００１７】
図３に示されるように、蓋材３０は複数の層が積層された層構造を備えている。一例では、蓋材３０を構成する層は印刷層３１、中間層３２、イージーピールシーラント層３３、および、保護層３４である。印刷層３１は印刷のための層である。一例では、印刷層３１には容器１０に収容される内容物Ｃに応じて様々な情報が印刷される。中間層３２は蓋材３０の引き裂きやすさを高めるための層である。イージーピールシーラント層３３は容器１０に接合するための層である。保護層３４はイージーピールシーラント層３３が汚れないように保護する層である。保護層３４はイージーピールシーラント層３３のうちの少なくとも蓋２０に対応する部分を覆うようにイージーピールシーラント層３３に設けられる。一例では、保護層３４はイージーピールシーラント層３３の全面を覆うように設けられる。各層３１〜３４の厚さは任意に選択できる。一例では、保護層３４の厚さは各層３１〜３３の少なくとも１つの層の厚さよりも厚い。この場合、保護層３４をイージーピールシーラント層３３から剥離する場合の作業性が向上する。より具体的な例では、保護層３４の厚さは各層３１〜３３の厚さのいずれよりも厚い。
【００１８】
印刷層３１は印刷される印刷面３１Ａ、および、印刷面３１Ａと反対側の背面３１Ｂを有する。中間層３２は背面３１Ｂと接合される第１中間面３２Ａ、および、第１中間面３２Ａと反対側の第２中間面３２Ｂを有する。イージーピールシーラント層３３は第２中間面３２Ｂと接合される第１接合面３３Ａ、および、第１接合面３３Ａと反対側の第２接合面３３Ｂを有する。蓋材３０では、背面３１Ｂと中間層３２の第１中間面３２Ａとが接合され、第２中間面３２Ｂと第１接合面３３Ａとが接合され、第２接合面３３Ｂと保護面３４Ｘとが接合されている。第１接合面３３Ａは中間層３２を介して間接的に背面３１Ｂと接合されている。蓋材３０は例示した上記層構造以外の種々の層構造を取り得る。第１例では、蓋材３０は複数の中間層３２を備える。複数の中間層３２はそれぞれの機能および材質が同一である場合、および、異なる場合のいずれの形態も取り得る。第２例では、蓋材３０は中間層３２を含まない。この場合、イージーピールシーラント層３３の第１接合面３３Ａは印刷層３１の背面３１Ｂに直接的に接合される。
【００１９】
印刷層３１を構成する材料は印刷に適した材料から任意に選択できる。その一例は家庭用のインクジェットプリンターまたはレーザープリンターを用いた印刷に適した印刷用紙である。印刷層３１のサイズの一例はＡ３判サイズ、Ａ４判サイズ、Ａ５判サイズ、Ｂ４判サイズ、または、Ｂ５判サイズである。中間層３２を構成する材料は任意に選択できる。その一例は透明蒸着性ポリエチレンテレフタレート、アルミニウム、または、ポリエチレンテレフタレートである。中間層３２を構成する材料がアルミニウムである場合、中間層３２が印刷層３１およびイージーピールシーラント層３３のそれぞれとポリエチレン層を介して接合されることが好ましい。アルミニウムで構成された中間層３２が蓋材３０に設けられる場合、蓋材３０の引き裂きやすさが一層高められる。イージーピールシーラント層３３を構成する材料は容器１０とヒートシールにより接合可能であり、かつ、接合された状態において容器１０から剥離できる材料から任意に選択できる。その一例はエチレン−酢酸ビニル共重合樹脂である。保護層３４を構成する材料はイージーピールシーラント層３３に接合し、かつ、イージーピールシーラント層３３から剥離できる材料から任意に選択できる。保護層３４を構成する材料は、ユーザーがイージーピールシーラント層３３から保護層３４を容易に剥離できる材料であることが好ましい。その一例は二軸延伸ポリプロピレン、ポリエチレンテレフタレート、ポリエチレン、または、紙である。
【００２０】
蓋材３０には各蓋２０を分離するためのガイド３０Ａが形成される。このため、複数の蓋２０のそれぞれをガイド３０Ａに沿って蓋材３０から個別に切り取ることができる。ガイド３０Ａの構成は任意に選択できる。図２等で示される第１例では、ガイド３０Ａは蓋２０の外郭形状に沿うミシン目である。ミシン目の切り込みは印刷層３１、中間層３２、および、イージーピールシーラント層３３の少なくとも１つを貫通する。第２例では、ガイド３０Ａは蓋２０の外郭形状に沿う連続した切り込みである。切り込みは蓋材３０を貫通しない。第１例および第２例では、保護層３４にガイド３０Ａが形成されないことが好ましい。ガイド３０Ａは蓋材３０に形成される各蓋２０の形状を規定している。蓋２０の形状は任意に選択できる。その一例は楕円または多角形である。図２等では蓋２０の形状が六角形の場合を例示している。
【００２１】
図２に示されるように、蓋２０の印刷層３１の印刷面３１Ａには収容部１１に収容された処方薬に関する情報(以下「処方薬情報」)を表示する表示部４０が設けられている。処方薬情報は１種類または複数種類の情報を含む。処方薬情報の一例は、服用者の氏名、処方薬を服用する日付、処方薬の服用時期、および、処方薬の薬品名である。一例では、表示部４０は服用者の個人情報保護のための構成をさらに含む。この構成が取り得る形態の例は、１次元コードまたは２次元コードにより処方薬情報を表示する形態、および、処方薬情報が直接的に視認できないように個人情報保護シールが表示部４０に貼り付けられる形態である。図２に示される例では、表示部４０は時期表示部４０Ａおよび書誌情報表示部４０Ｂを含む。時期表示部４０Ａは収容部１１に収容される内容物Ｃ(図１参照)の服用時期を文字により表示している。書誌情報表示部４０Ｂは処方薬の服用者の氏名、および、処方薬を服用する日付を１次元コードにより表示している。なお、図５では表示部４０の図示を省略している。
【００２２】
図４および図５を参照して、包装体１の製造方法の一例について説明する。包装体１の製造方法では、印刷工程、準備工程、剥離工程、接合工程、および、分離工程の順に各工程が実施される。印刷工程では、薬剤師が薬局に設置されているプリンターを用いて蓋材３０の印刷層３１に処方薬情報を印刷する。これにより、印刷層３１に表示部４０が形成される。準備工程では、薬剤師は図４に示されるように複数の容器１０を作業台１００にセットし、処方箋に基づいて内容物Ｃを各容器１０の収容部１１に収容する。剥離工程では、薬剤師は蓋材３０のイージーピールシーラント層３３から保護層３４を剥離する。接合工程では、薬剤師は図５に示されるように各容器１０の開口部１１Ａが各蓋２０で閉じられるように１枚の蓋材３０を各容器１０に載せ、ヒートシール装置(図示略)を用いてイージーピールシーラント層３３と容器１０のフランジ１２とをヒートシールする。分離工程では、薬剤師はガイド３０Ａに沿って各蓋２０を切り取ることにより、蓋材３０とこれに接合された複数の容器１０とにより構成される包装体１から、１枚の蓋材３０と１つの容器１０とにより構成される個別の包装体１を分離する。
【００２３】
蓋２０、蓋材３０、および、包装体１の製造方法によれば次のような作用および効果が得られる。イージーピールシーラント層３３が保護層３４により覆われているため、印刷工程の実施場所への蓋材３０の搬送時、印刷工程、および、準備工程等においてイージーピールシーラント層３３が汚れにくい。このため、接合工程において、蓋２０と容器１０とを適切に接合することができる。
【００２４】
(変形例)
上記実施形態は本発明に関する容器の蓋、容器の蓋材、および、包装体の製造方法が取り得る形態の例示であり、その形態を制限することを意図していない。本発明に関する容器の蓋、容器の蓋材、および、包装体の製造方法は実施形態に例示された形態とは異なる形態を取り得る。その一例は、実施形態の構成の一部を置換、変更、もしくは、省略した形態、または、実施形態に新たな構成を付加した形態である。以下に実施形態の変形例の一例を示す。
【００２５】
・保護層３４の構成は任意に変更可能である。一例では、保護層３４は図６に示されるように複数の層が積層された層構造を備えている。この保護層３４は第１層３４Ａ、第２層３４Ｂ、および、第３層３４Ｃにより構成される。保護層３４では、第１層３４Ａの接合面３４Ａ１がイージーピールシーラント層３３の第２接合面３３Ｂに接合され、第２層３４Ｂの接合面３４Ｂ１が第１層３４Ａの接合面３４Ａ２に接合され、第３層３４Ｃの接合面３４Ｃ１が第２層３４Ｂの接合面３４Ｂ２に接合される。各層３４Ａ〜３４Ｃを構成する材料は任意に選択できる。第１層３４Ａを構成する材料の一例はポリエチレンテレフタレートである。第２層３４Ｂを構成する材料の一例は第１層３４Ａおよび第３層３４Ｃを構成する材料よりも軟らかい材料である。その一例はポリエチレンである。第３層３４Ｃを構成する材料の一例はポリエチレンテレフタレートである。第２層３４Ｂが第１層３４Ａおよび第３層３４Ｃを構成する材料よりも軟らかい材料により構成される場合、保護層３４の柔軟性が高められる。このため、保護層３４をイージーピールシーラント層３３から剥離する場合の作業性が一層向上する。なお、剥離工程では、第１層３４Ａとイージーピールシーラント層３３とが剥離されることにより、保護層３４がイージーピールシーラント層３３から剥離される。
【符号の説明】
【００２６】
１    ：包装体
１０  ：容器
１１Ａ：開口部
２０  ：蓋
３０  ：蓋材
３０Ａ：ガイド
３１  ：印刷層
３１Ａ：印刷面
３１Ｂ：背面
３２  ：中間層
３３  ：イージーピールシーラント層
３３Ａ：第１接合面
３３Ｂ：第２接合面
３４  ：保護層
３４Ｘ：保護面
【図１】
2019059500.tif 000003
【図２】
2019059500.tif 000004
【図３】
2019059500.tif 000005
【図４】
2019059500.tif 000006
【図５】
2019059500.tif 000007
【図６】
2019059500.tif 000008